(57)【要約】【課題】製造コストが増大することなく、冷媒凝縮用熱交換パスの全熱交換管を流れる冷媒流量を均一化しうるコンデンサを提供する。【解決手段】コンデンサの凝縮部入口ヘッダ12における長手方向中央部よりも下端側に偏った部分に、冷媒流入路17を有する入口部材16を接合する。凝縮部入口ヘッダ12の周壁12aの下端側に偏った部分に、入口部材16の冷媒流入路17から送り出された冷媒を凝縮部入口ヘッダ12内の長手方向中央部側である上側に向かって流入させる流入部18を設ける。流入部18は、凝縮部入口ヘッダ12の周壁12aに内方に凹むように一体に設けられ、かつ入口部材16の冷媒流入路17から送り出された冷媒を上側に向かって案内しうるガイド部24、およびガイド部24の上端部と周壁12aにおけるガイド部24よりも上側の非変形部分との間に、上側に向かって開口するように形成された流入口25とからなる。【選択図】図３
2020101335.tif 000002
【特許請求の範囲】
【請求項１】
長手方向を上下方向に向けて配置された凝縮部入口ヘッダと、長手方向を左右方向に向けるとともに上下方向に間隔をおいて並列状に配置され、かつ長手方向の一端が凝縮部入口ヘッダに接続された複数の熱交換管とを備えており、凝縮部入口ヘッダの周壁外周面における長手方向中央部よりも一端側に偏った部分に、両端が開口した冷媒流入路を有しかつ凝縮部入口ヘッダ内に冷媒を送り込む入口部材が接合されているコンデンサにおいて、
凝縮部入口ヘッダの周壁における長手方向中央部よりも一端側に偏った部分に、入口部材の冷媒流入路から送り出された冷媒を凝縮部入口ヘッダ内の長手方向中央部側に向かって流入させる流入部が設けられており、当該流入部が、凝縮部入口ヘッダの周壁に一体に設けられ、かつ内方に凹むとともに入口部材の冷媒流入路から送り出された冷媒を凝縮部入口ヘッダの長手方向中央部側に向かって案内しうるガイド部、および当該ガイド部における凝縮部入口ヘッダの長手方向中央部側端部と、凝縮部入口ヘッダの周壁における前記ガイド部よりも凝縮部入口ヘッダの長手方向中央部側の非変形部分との間に、凝縮部入口ヘッダの長手方向中央部側に向かって開口するように形成された流入口とからなるコンデンサ。
【請求項２】
凝縮部入口ヘッダの周壁における長手方向中央部よりも一端側に偏った部分に、通風方向にのびる直線状の切り込みが形成され、当該切り込みを挟んで凝縮部入口ヘッダの長手方向中央部とは反対側の部分が内方に凹まされることによって、前記流入部のガイド部および流入口が形成されている請求項１記載のコンデンサ。
【請求項３】
凝縮部と、凝縮部の下方または上方に設けられた過冷却部と、凝縮部と過冷却部との間に設けられた受液部とを備えており、凝縮部が、長手方向を左右方向に向けるとともに上下方向に間隔をおいて並列状に配置された複数の熱交換管からなる少なくとも１つの熱交換パスと、冷媒流れ方向最下流側の熱交換パスの冷媒流れ方向下流側端部が通じかつ凝縮部の全熱交換パスを流れた冷媒が流入する凝縮部出口ヘッダとを備え、凝縮部入口ヘッダに冷媒流れ方向最上流側の熱交換パスの冷媒流れ方向上流側端部が通じさせられ、過冷却部が、長手方向を上下方向に向けて配置された過冷却部入口ヘッダと、長手方向を上下方向に向けて配置された過冷却部出口ヘッダと、長手方向を左右方向に向けるとともに上下方向に間隔をおいて並列状に配置された複数の熱交換管からなる少なくとも１つの過冷却用熱交換パスとを備え、過冷却部入口ヘッダに冷媒流れ方向最上流側の過冷却用熱交換パスの冷媒流れ方向上流側端部が通じさせられ、過冷却部出口ヘッダに冷媒流れ方向最下流側の過冷却用熱交換パスの冷媒流れ方向下流側端部が通じさせられ、受液部が、凝縮部出口ヘッダと過冷却部入口ヘッダとに通じさせられ、凝縮部出口ヘッダから流出した冷媒が、受液部を経て過冷却部入口ヘッダ内に流入するようになされている請求項１または２記載のコンデンサ。
【請求項４】
凝縮部に１つの熱交換パスが設けられるとともに、当該熱交換パスの全熱交換管が凝縮部入口ヘッダおよび凝縮部出口ヘッダに接続されている請求項３記載のコンデンサ。
【請求項５】
熱交換管の長手方向の一端側に長手方向を上下方向に向けた第１ヘッダタンクが配置されるとともに、同他端側に長手方向を上下方向に向けた第２ヘッダタンクおよび第３ヘッダタンクが、第３ヘッダタンクが第２ヘッダタンクよりも左右方向外側に位置するように設けられ、第１ヘッダタンクに、凝縮部入口ヘッダおよび過冷却部出口ヘッダが前者が上側に位置するように設けられ、第２ヘッダタンクの全体に凝縮部出口ヘッダが設けられるとともに凝縮部出口ヘッダに凝縮部の熱交換パスの全熱交換管が接続され、第３ヘッダタンクの下端が第２ヘッダタンクの下端よりも下方に位置するとともに同上端が第２ヘッダタンクの下端よりも上方に位置しており、第３ヘッダタンクにおける第２ヘッダタンクの下端よりも下方に位置する部分に過冷却部入口ヘッダが設けられ、第２ヘッダタンクの凝縮部出口ヘッダ内と、第３ヘッダタンク内における第２ヘッダタンクの下端よりも上方に位置する部分とが連通部を介して通じさせられている請求項４記載のコンデンサ。
【発明の詳細な説明】
【技術分野】
【０００１】
この発明は、たとえば自動車に搭載されるカーエアコンに好適に用いられるコンデンサに関する。
【０００２】
この明細書および特許請求の範囲において、上下、左右は図１、図５および図８の上下、左右をいうものとし、図１、図５および図８の紙面表裏方向を通風方向というものとする。
【背景技術】
【０００３】
たとえばカーエアコンのコンデンサとして、長手方向を左右方向に向けるとともに上下方向に間隔をおいて並列状に配置された複数の熱交換管からなる少なくとも１つの熱交換パスと、長手方向を上下方向に向けて配置され、かつ冷媒流れ方向最上流側の熱交換パスの冷媒流れ方向上流側端部が通じる凝縮部入口ヘッダと、長手方向を上下方向に向けて配置され、かつ冷媒流れ方向最下流側の熱交換パスの冷媒流れ方向下流側端部が通じかつ凝縮部の全熱交換パスを流れた冷媒が流入する凝縮部出口ヘッダとを有する凝縮部を備えており、凝縮部入口ヘッダに、両端が開口した冷媒流入路を有しかつ凝縮部入口ヘッダ内に冷媒を送り込む入口部材が接合され、凝縮部出口ヘッダに、両端が開口した冷媒流出路を有しかつ凝縮部出口ヘッダ内から冷媒を送り出す出口部材が接合されているコンデンサが広く知られている(以下、周知コンデンサと称する)。
【０００４】
上述した周知コンデンサにおいて熱交換効率を向上させるには、凝縮部入口ヘッダに冷媒が流入する流入部分の高さ位置および凝縮部出口ヘッダから冷媒が流出する流出部分の高さ位置を調整することによって、凝縮部入口ヘッダに通じる熱交換パスを構成する全熱交換管を流れる冷媒の流量を均一化することが効果的である。
【０００５】
ところで、自動車に搭載されるカーエアコンの場合、カーエアコンを構成する部品を接続する配管の取り回しを考慮して、コンデンサの凝縮部入口ヘッダへの冷媒流入部分の高さ位置が制限されることがあり、上述した周知コンデンサにおいては、凝縮部入口ヘッダに通じる熱交換パスの全熱交換管を流れる冷媒流量を均一化することが困難な場合がある。
【０００６】
冷媒流入部分および冷媒流出部分の高さ位置を調整することなく、冷媒凝縮用熱交換パスの全熱交換管を流れる冷媒流量を均一化しうるコンデンサとして、本出願人は、先に、長手方向を上下方向に向けて配置された凝縮部入口ヘッダと、長手方向を左右方向に向けるとともに上下方向に間隔をおいて並列状に配置され、かつ長手方向の一端が凝縮部入口ヘッダに接続された複数の熱交換管からなる熱交換パスとを備えており、凝縮部入口ヘッダに、両端が開口した冷媒流入路を有しかつ凝縮部入口ヘッダ内における長手方向中央部よりも一端側に偏った部分に冷媒を送り込む入口部材が接合され、入口部材の冷媒流入路の一端開口が外部からの流入口となっているとともに他端開口が凝縮部入口ヘッダ内への流出口となっており、凝縮部入口ヘッダの周壁における長手方向中央部よりも一端側に偏った部分に開口が形成され、入口部材に、当該開口を通して凝縮部入口ヘッダ内に挿入された挿入部が、当該挿入部と凝縮部入口ヘッダの周壁の一部との間に間隙が存在するように設けられ、冷媒流入路の流出口が前記挿入部に開口しており、冷媒流入路の流出口が、冷媒を凝縮部入口ヘッダの長手方向中央部側に向かって流出するようになされているコンデンサを提案した（特許文献１参照）。
【先行技術文献】
【特許文献】
【０００７】
【特許文献１】特開２０１８−１３３２２号公報
【発明の概要】
【発明が解決しようとする課題】
【０００８】
しかしながら、特許文献１記載のコンデンサにおいては，凝縮部入口ヘッダの周壁における長手方向中央部よりも一端側に偏った部分に開口が形成され、入口部材に、当該開口を通して凝縮部入口ヘッダ内に挿入された挿入部が、当該挿入部と凝縮部入口ヘッダの周壁の一部との間に間隙が存在するように設けられ、冷媒流入路の流出口が前記挿入部に開口しており、冷媒流入路の流出口が、冷媒を凝縮部入口ヘッダの長手方向中央部側に向かって流出するようになされているので、入口部材の形状が複雑となって製造コストが高くなり、ひいてはコンデンサ全体の製造コストが高くなるという問題がある。
【０００９】
この発明の目的は、上記問題を解決し、製造コストが増大することなく、冷媒凝縮用熱交換パスの全熱交換管を流れる冷媒流量を均一化することができるコンデンサを提供することにある。
【課題を解決するための手段】
【００１０】
本発明は、上記目的を達成するために以下の態様からなる。
【００１１】
1)長手方向を上下方向に向けて配置された凝縮部入口ヘッダと、長手方向を左右方向に向けるとともに上下方向に間隔をおいて並列状に配置され、かつ長手方向の一端が凝縮部入口ヘッダに接続された複数の熱交換管とを備えており、凝縮部入口ヘッダの周壁外周面における長手方向中央部よりも一端側に偏った部分に、両端が開口した冷媒流入路を有しかつ凝縮部入口ヘッダ内に冷媒を送り込む入口部材が接合されているコンデンサにおいて、
凝縮部入口ヘッダの周壁における長手方向中央部よりも一端側に偏った部分に、入口部材の冷媒流入路から送り出された冷媒を凝縮部入口ヘッダ内の長手方向中央部側に向かって流入させる流入部が設けられており、当該流入部が、凝縮部入口ヘッダの周壁に一体に設けられ、かつ内方に凹むとともに入口部材の冷媒流入路から送り出された冷媒を凝縮部入口ヘッダの長手方向中央部側に向かって案内しうるガイド部、および当該ガイド部における凝縮部入口ヘッダの長手方向中央部側端部と、凝縮部入口ヘッダの周壁における前記ガイド部よりも凝縮部入口ヘッダの長手方向中央部側の非変形部分との間に、凝縮部入口ヘッダの長手方向中央部側に向かって開口するように形成された流入口とからなるコンデンサ。
【００１２】
2)凝縮部入口ヘッダの周壁における長手方向中央部よりも一端側に偏った部分に、通風方向にのびる直線状の切り込みが形成され、当該切り込みを挟んで凝縮部入口ヘッダの長手方向中央部とは反対側の部分が内方に凹まされることによって、前記流入部のガイド部および流入口が形成されている上記1)記載のコンデンサ。
【００１３】
3)凝縮部と、凝縮部の下方または上方に設けられた過冷却部と、凝縮部と過冷却部との間に設けられた受液部とを備えており、凝縮部が、長手方向を左右方向に向けるとともに上下方向に間隔をおいて並列状に配置された複数の熱交換管からなる少なくとも１つの熱交換パスと、冷媒流れ方向最下流側の熱交換パスの冷媒流れ方向下流側端部が通じかつ凝縮部の全熱交換パスを流れた冷媒が流入する凝縮部出口ヘッダとを備え、凝縮部入口ヘッダに冷媒流れ方向最上流側の熱交換パスの冷媒流れ方向上流側端部が通じさせられ、過冷却部が、長手方向を上下方向に向けて配置された過冷却部入口ヘッダと、長手方向を上下方向に向けて配置された過冷却部出口ヘッダと、長手方向を左右方向に向けるとともに上下方向に間隔をおいて並列状に配置された複数の熱交換管からなる少なくとも１つの過冷却用熱交換パスとを備え、過冷却部入口ヘッダに冷媒流れ方向最上流側の過冷却用熱交換パスの冷媒流れ方向上流側端部が通じさせられ、過冷却部出口ヘッダに冷媒流れ方向最下流側の過冷却用熱交換パスの冷媒流れ方向下流側端部が通じさせられ、受液部が、凝縮部出口ヘッダと過冷却部入口ヘッダとに通じさせられ、凝縮部出口ヘッダから流出した冷媒が、受液部を経て過冷却部入口ヘッダ内に流入するようになされている上記1)または2)記載のコンデンサ。
【００１４】
4)凝縮部に１つの熱交換パスが設けられるとともに、当該熱交換パスの全熱交換管が凝縮部入口ヘッダおよび凝縮部出口ヘッダに接続されている上記3)記載のコンデンサ。
【００１５】
5)熱交換管の長手方向の一端側に長手方向を上下方向に向けた第１ヘッダタンクが配置されるとともに、同他端側に長手方向を上下方向に向けた第２ヘッダタンクおよび第３ヘッダタンクが、第３ヘッダタンクが第２ヘッダタンクよりも左右方向外側に位置するように設けられ、第１ヘッダタンクに、凝縮部入口ヘッダおよび過冷却部出口ヘッダが前者が上側に位置するように設けられ、第２ヘッダタンクの全体に凝縮部出口ヘッダが設けられるとともに凝縮部出口ヘッダに凝縮部の熱交換パスの全熱交換管が接続され、第３ヘッダタンクの下端が第２ヘッダタンクの下端よりも下方に位置するとともに同上端が第２ヘッダタンクの下端よりも上方に位置しており、第３ヘッダタンクにおける第２ヘッダタンクの下端よりも下方に位置する部分に過冷却部入口ヘッダが設けられ、第２ヘッダタンクの凝縮部出口ヘッダ内と、第３ヘッダタンク内における第２ヘッダタンクの下端よりも上方に位置する部分とが連通部を介して通じさせられている上記4)記載のコンデンサ。
【発明の効果】
【００１６】
上記1)〜5)のコンデンサによれば、凝縮部入口ヘッダの周壁における長手方向中央部よりも一端側に偏った部分に、入口部材の冷媒流入路から送り出された冷媒を凝縮部入口ヘッダ内の長手方向中央部側に向かって流入させる流入部が設けられており、当該流入部が、凝縮部入口ヘッダの周壁に一体に設けられ、かつ内方に凹むとともに入口部材の冷媒流入路から送り出された冷媒を凝縮部入口ヘッダの長手方向中央部側に向かって案内しうるガイド部、および当該ガイド部における凝縮部入口ヘッダの長手方向中央部側端部と、凝縮部入口ヘッダの周壁における前記ガイド部よりも凝縮部入口ヘッダの長手方向中央部側の非変形部分との間に、凝縮部入口ヘッダの長手方向中央部側に向かって開口するように形成された流入口とからなるので、入口部材の冷媒流入路を通って凝縮部入口ヘッダ内に送り込まれる冷媒を、凝縮部入口ヘッダの周壁の流入部のガイド部および流入口の働きによって、凝縮部入口ヘッダ内の長手方向中央部側に流すとともに、ガイド部と凝縮部入口ヘッダの周壁との間の間隙を通って長手方向中央部とは反対側に流すことができる。したがって、入口部材の冷媒流入路を通って凝縮部入口ヘッダ内に送り込まれる冷媒を、凝縮部入口ヘッダ内の長手方向の全体に行き渡らせることが可能になる。その結果、流入部を通って凝縮部入口ヘッダ内に流入した冷媒を、凝縮部入口ヘッダに接続された全熱交換管に均等に分流することが可能になって、コンデンサの性能低下を防止することが可能になる。
【００１７】
しかも、ガイド部および流入口は、凝縮部入口ヘッダの周壁に、通風方向にのびる直線状の切り込みを入れ、当該切り込みを挟んで凝縮部入口ヘッダの長手方向中央部とは反対側の部分を内方に凹ませることによって形成することができるので、特許文献１記載の入口部材を形成する場合に比べて製造コストが安くなる。したがって、コンデンサ全体の製造コストの増大を防止することができる。
【図面の簡単な説明】
【００１８】
【図１】この発明によるコンデンサの第１の実施形態の全体構成を具体的に示す正面図である。
【図２】図１のコンデンサを模式的に示す正面図である。
【図３】図１のコンデンサの一部を示す正面から見た垂直断面図である。
【図４】図１のコンデンサの凝縮部入口ヘッダの一部を示す拡大斜視図である。
【図５】この発明によるコンデンサの第２の実施形態の全体構成を具体的に示す正面図である。
【図６】図５のコンデンサを模式的に示す正面図である。
【図７】図５のコンデンサの要部を示す図３相当の図である。
【図８】この発明によるコンデンサの第３の実施形態の全体構成を具体的に示す正面図である。
【図９】図８のコンデンサを模式的に示す正面図である。
【発明を実施するための形態】
【００１９】
以下、この発明の実施形態を、図面を参照して説明する。
【００２０】
以下の説明において、「アルミニウム」という用語には、純アルミニウムの他にアルミニウム合金を含むものとする。
【００２１】
さらに、全図面を通じて同一部分および同一物には同一符号を付す。
【００２２】
図１はこの発明によるコンデンサの第１の実施形態の全体構成を具体的に示し、図２は図１のコンデンサを模式的に示し、図３および図４は図１のコンデンサの要部の構成を示す。図２においては、個々の熱交換管の図示は省略されるとともに、コルゲートフィンおよびサイドプレートの図示も省略されている。
【００２３】
図１および図２において、コンデンサ(1)は、凝縮部(2)と、凝縮部(2)の下方に設けられた過冷却部(3)と、長手方向を上下方向に向けた状態で凝縮部(2)と過冷却部(3)との間に設けられ、かつ凝縮部(2)で凝縮した液相主体冷媒を貯留するとともに液相主体冷媒を過冷却部(3)に供給する液溜部の機能を有するアルミニウム製タンク状受液器(4)（受液部）とからなり、幅方向を通風方向に向けるとともに長手方向を左右方向に向けた状態で上下方向に間隔をおいて配置された複数のアルミニウム製扁平状熱交換管(5)と、長手方向を上下方向に向けた状態で左右方向に間隔をおいて配置されるとともに熱交換管(5)の長手方向両端部が接続された２つのアルミニウム製ヘッダタンク(6)(7)と、隣り合う熱交換管(5)どうしの間および上下両端の熱交換管(5)の外側に配置されて熱交換管(5)にろう材により接合されたアルミニウム製コルゲートフィン(8)と、上下両端のコルゲートフィン(8)の外側に配置されてコルゲートフィン(8)にろう材により接合されたアルミニウム製サイドプレート(9)とを備えている。以下、ろう材による接合をろう付というものとする。
【００２４】
コンデンサ(1)の凝縮部(2)および過冷却部(3)には、それぞれ上下に連続して並んだ複数の熱交換管(5)からなる少なくとも１つ、ここでは１つの熱交換パス(P1)(P2)が設けられており、凝縮部(2)に設けられた熱交換パス(P1)が冷媒凝縮パスとなり、過冷却部(3)に設けられた熱交換パス(P2)が冷媒過冷却パスとなっている。そして、各熱交換パス(P1)(P2)を構成する全ての熱交換管(5)の冷媒流れ方向が同一となっているとともに、隣り合う２つの熱交換パスの熱交換管(5)の冷媒流れ方向が異なっている。ここで、凝縮部(2)の熱交換パス(P1)を第１熱交換パスといい、過冷却部(3)の熱交換パス(P2)を第２熱交換パスというものとする。なお、この実施形態においては、凝縮部(2)に１つの第１熱交換パス(P1)が設けられているので、第１熱交換パス(P1)が、凝縮部(2)の冷媒流れ方向最上流側の熱交換パスであると同時に、冷媒流れ方向最下流側の熱交換パスとなっている。
【００２５】
両ヘッダタンク(6)(7)内は、第１熱交換パス(P1)と第２熱交換パス(P2)との間でかつ下側の同一高さ位置に設けられたアルミニウム製仕切部材(11)により上下方向に並んだ２つの区画に仕切られており、コンデンサ(1)における両仕切部材(11)よりも上方に位置する部分が凝縮部(2)となり、両仕切部材(11)よりも下方に位置する部分が過冷却部(3)となっている。凝縮部(2)に１つの第１熱交換パス(P1)が設けられているので、右側ヘッダタンク(6)における仕切部材(11)よりも上方の区画が凝縮部入口ヘッダ(12)となっているとともに、左側ヘッダタンク(7)における仕切部材(11)よりも上方の区画が凝縮部出口ヘッダ(13)となっている。また、過冷却部(3)に１つの第２熱交換パス(P2)が設けられているので、左側ヘッダタンク(7)における仕切部材(11)よりも下方の区画が過冷却部入口ヘッダ(14)となっているとともに、右側ヘッダタンク(6)における仕切部材(11)よりも下方の区画が過冷却部出口ヘッダ(15)となっている。
【００２６】
凝縮部入口ヘッダ(12)の周壁(12a)外周面における長手方向中央部(X)よりも一端側に偏った部分、ここでは下端側に偏った部分に、両端が開口した冷媒流入路(17)を有し、かつ凝縮部入口ヘッダ(12)内に冷媒を送り込むアルミニウム製入口部材(16)がろう付されている。また、凝縮部入口ヘッダ(12)の周壁(12a)における長手方向中央部(X)よりも下端側に偏った部分に、入口部材(16)の冷媒流入路(17)から送り出された冷媒を凝縮部入口ヘッダ(12)内の長手方向中央部(X)側（上側）に向かって流入させる流入部(18)が設けられている。
【００２７】
過冷却部出口ヘッダ(15)の周壁(15a)外面に、両端が開口した冷媒流出路(20)を有し、かつ過冷却部出口ヘッダ(15)外に冷媒を送り出すアルミニウム製出口部材(19)がろう付されている。また、凝縮部出口ヘッダ(15)の周壁(15a)に、貫通穴からなりかつ凝縮部出口ヘッダ(15)外に冷媒を流出させる流出部(21)が設けられている。
【００２８】
受液器(4)はアルミニウム製であって、長手方向を上下方向に向けるとともに上下両端が閉鎖された円筒状であり、左側ヘッダタンク(7)（凝縮部出口ヘッダ(13)および過冷却部入口ヘッダ(14)）と別個に設けられて左側ヘッダタンク(7)に固定されている。図示は省略したが、受液器(4)内には冷媒から異物を除去するフィルタや乾燥材が入れられている。凝縮部出口ヘッダ(13)内の下部と受液器(4)内の下部、および過冷却部入口ヘッダ(14)内の上部と受液器(4)内の下部が、それぞ左側ヘッダタンク(7)および受液器(4)にろう付されたアルミニウム製連通部材(22)(23)により通じさせられており、凝縮部出口ヘッダ(13)から流出した冷媒が、受液器(4)を経て過冷却部入口ヘッダ(14)内に流入するようになされている。
【００２９】
図３および図４に示すように、凝縮部入口ヘッダ(12)の周壁(12a)に設けられた流入部(18)は、凝縮部入口ヘッダ(12)の周壁(12a)に一体に設けられ、かつ内方に凹むとともに入口部材(16)の冷媒流入路(17)から送り出された冷媒を凝縮部入口ヘッダ(12)の長手方向中央部(X)側に向かって案内しうるガイド部(24)、および当該ガイド部(24)における凝縮部入口ヘッダ(12)の長手方向中央部(X)側端部（上端部）と、凝縮部入口ヘッダ(12)の周壁(12a)におけるガイド部(24)よりも凝縮部入口ヘッダ(12)の長手方向中央部(X)側（上側）の変形していない非変形部分との間に、上側に向かって開口するように形成された流入口(25)とからなる。ガイド部(24)は、凝縮部入口ヘッダ(12)の長手方向中央部(X)側（上側）に向かって凝縮部入口ヘッダ(12)の内方に傾斜しかつ先端が凝縮部入口ヘッダ(12)の左右方向中央部付近に位置する傾斜部(24a)と、傾斜部(24a)の上端に連なって真っ直ぐ上方にのびた鉛直部(24b)とよりなる。流入部(18)のガイド部(24)および流入口(25)は、凝縮部入口ヘッダ(12)の周壁(12a)に通風方向にのびる直線状の切り込み(26)を形成し、凝縮部入口ヘッダ(12)の周壁(12a)における切り込み(26)を挟んで下側の部分が内方に凹まされることによって形成されている。流入部(18)のガイド部(24)と、凝縮部入口ヘッダ(12)の周壁(12a)におけるガイド部(24)が形成されていない部分との間、およびガイド部(24)と熱交換管(5)の端部との間には間隙が存在している。
【００３０】
コンデンサ(1)は、圧縮機、膨張弁（減圧器）およびエバポレータとともに冷凍サイクルを構成し、カーエアコンとして車両に搭載される。
【００３１】
上述した構成のコンデンサ(1)において、圧縮機により圧縮された高温高圧の気相冷媒が、入口部材(16)の冷媒流入路(17)から流入部(18)に向かって送り出される。流入部(18)に向かって送り出された冷媒は、ガイド部(24)の傾斜部(24a)および鉛直部(24b)に案内されるとともに流入口(25)を通って凝縮部入口ヘッダ(12)の長手方向中央部(X)側に流れる。したがって、多くの冷媒が凝縮部入口ヘッダ(12)内の上端部まで流れ、残りの冷媒がガイド部(24)と凝縮部入口ヘッダ(12)の周壁(12a)および熱交換管(5)の端部との間の前記間隙を通って流入部(18)よりも下方に流れる。その結果、流入部(18)を通って凝縮部入口ヘッダ(12)内に流入した冷媒は凝縮部入口ヘッダ(12)内の全体に行き渡り、凝縮部入口ヘッダ(12)に接続された第１熱交換パス(P1)の全熱交換管(5)に均等に分流される。第１熱交換パス(P1)の熱交換管(5)内に流入した冷媒は、第１熱交換パス(P1)の熱交換管(5)内を左方に流れて凝縮部出口ヘッダ(13)内に流入する。凝縮部出口ヘッダ(13)内に流入した冷媒は、上側連通部材(22)を通って受液器(4)内に流入する。
【００３２】
受液器(4)内に流入した冷媒は、気液混相冷媒であり、当該気液混相冷媒のうち液相主体冷媒は重力により受液器(4)内の下部に溜まり、下側連通部材(23)を通って過冷却部入口ヘッダ(14)内に入る。過冷却部入口ヘッダ(14)内に入った冷媒は第２熱交換パス(P2)の熱交換管(5)内に入り、第２熱交換パス(P2)の熱交換管(5)内を右方に流れる間に過冷却された後、過冷却部出口ヘッダ(15)内に入り、流出部(21)および出口部材(19)の冷媒流出路(20)を通って流出し、膨張弁を経てエバポレータに送られる。
【００３３】
図５〜図７はこの発明によるコンデンサの第２の実施形態を示す。図５はこの発明によるコンデンサの第２の実施形態の全体構成を具体的に示し、図６は図５のコンデンサを模式的に示す。図６においては、個々の熱交換管の図示は省略されるとともに、コルゲートフィンおよびサイドプレートの図示も省略されている。また、図７は図５のコンデンサの要部を示す。
【００３４】
図５〜図７において、コンデンサ(30)の右側ヘッダタンク(6)の凝縮部入口ヘッダ(12)における長手方向中央部(X)よりも一端側に偏った部分、ここでは上端側に偏った部分に、両端が開口した冷媒流入路(17)を有し、かつ凝縮部入口ヘッダ(12)内に冷媒を送り込むアルミニウム製入口部材(31)がろう付されている。入口部材(31)は、上述した第１の実施形態のコンデンサ(1)に用いられている入口部材(16)を上下逆向きにしたものである。
【００３５】
また、凝縮部入口ヘッダ(12)の周壁(12a)外周面における長手方向中央部(X)よりも上端側に偏った部分に、入口部材(31)の冷媒流入路(17)から送り出された冷媒を凝縮部入口ヘッダ(12)内の長手方向中央部(X)側（下側）に向かって流入させる流入部(32)が設けられている。流入部(32)は、凝縮部入口ヘッダ(12)の周壁(12a)に一体に設けられ、かつ内方に凹むとともに入口部材(16)の冷媒流入路(17)から送り出された冷媒を凝縮部入口ヘッダ(12)の長手方向中央部(X)側（下側）に向かって案内しうるガイド部(33)、および当該ガイド部(33)における凝縮部入口ヘッダ(12)の長手方向中央部(X)側端部（下端部）と、凝縮部入口ヘッダ(12)の周壁(12a)におけるガイド部(33)よりも凝縮部入口ヘッダ(12)の長手方向中央部(X)側（下側）の変形していない非変形部分との間に、下側に向かって開口するように形成された流入口(34)とからなる。ガイド部(33)は、凝縮部入口ヘッダ(12)の長手方向中央部(X)側（下側）に向かって凝縮部入口ヘッダ(12)の内方に傾斜しかつ先端が凝縮部入口ヘッダ(12)の左右方向中央部付近に位置する傾斜部(33a)と、傾斜部(33a)の下端に連なって真っ直ぐ下方にのびた鉛直部(33b)とよりなる。流入部(32)のガイド部(33)および流入口(34)は、凝縮部入口ヘッダ(12)の周壁(12a)に通風方向にのびる直線状の切り込み(35)を形成し、凝縮部入口ヘッダ(12)の周壁(12a)における切り込み(35)を挟んで上側の部分が内方に凹まされることによって形成されている。流入部(32)のガイド部(33)と、凝縮部入口ヘッダ(12)の周壁(12a)におけるガイド部(33)が形成されていない部分との間、およびガイド部(33)と熱交換管(5)の端部との間には間隙が存在している。
【００３６】
その他の構成は、第１の実施形態のコンデンサと同様である。
【００３７】
上述した構成のコンデンサ(30)において、圧縮機により圧縮された高温高圧の気相冷媒が、入口部材(31)の冷媒流入路(17)から流入部(32)に向かって送り出される。流入部(32)に向かって送り出された冷媒は、ガイド部(33)の傾斜部(33a)および鉛直部(33b)に案内されるとともに流入口(34)を通って凝縮部入口ヘッダ(12)の長手方向中央部(X)側に流れる。したがって、多くの冷媒が凝縮部入口ヘッダ(12)内の下端部まで流れ、残りの冷媒がガイド部(33)と凝縮部入口ヘッダ(12)の周壁(12a)および熱交換管(5)との間の前記間隙を通って流入部(32)よりも上方に流れる。その結果、流入部(32)を通って凝縮部入口ヘッダ(12)内に流入した冷媒は凝縮部入口ヘッダ(12)内の全体に行き渡り、凝縮部入口ヘッダ(12)に接続された第１熱交換パス(P1)の全熱交換管(5)に均等に分流される。第１熱交換パス(P1)の熱交換管(5)内に流入した冷媒は、第１熱交換パス(P1)の熱交換管(5)内を左方に流れて凝縮部出口ヘッダ(13)内に流入する。凝縮部出口ヘッダ(13)内に流入した冷媒は、上側連通部材(22)を通って受液器(4)内に流入する。
【００３８】
受液器(4)内に流入した冷媒は、気液混相冷媒であり、当該気液混相冷媒のうち液相主体冷媒は重力により受液器(4)内の下部に溜まり、下側連通部材(23)を通って過冷却部入口ヘッダ(14)内に入る。過冷却部入口ヘッダ(14)内に入った冷媒は、第２熱交換パス(P2)の熱交換管(5)内に入り、第２熱交換パス(P2)の熱交換管(5)内を右方に流れる間に過冷却された後、過冷却部出口ヘッダ(15)内に入り、流出部(21)および出口部材(19)の冷媒流出路(20)を通って流出し、膨張弁を経てエバポレータに送られる。
【００３９】
上述した第１〜第２の実施形態のコンデンサ(1)(30)においては、凝縮部(2)の下方に過冷却部(3)が設けられているが、これに限定されるものではなく、凝縮部の上方に過冷却部が設けられていてもよい。たとえば、凝縮部と、凝縮部の上方に設けられた過冷却部と、凝縮部と過冷却部との間に設けられた受液器とを備えており、凝縮部から流出した冷媒が、受液器を経て過冷却部に流入するようになっており、受液器に、凝縮部から冷媒が流入する冷媒流入口、および冷媒流入口の上方に位置しかつ過冷却部に冷媒を流出させる冷媒流出口が形成され、受液器内における冷媒流入口と冷媒流出口との間の高さ位置に、受液器内を上下に区画する仕切部材が設けられ、受液器内に、仕切部材よりも下方の冷媒流入口が通じる第１空間と、仕切部材よりも上方の冷媒流出口が通じる第２空間とが設けられ、受液器内に、第１空間と第２空間とを通じさせる吸い上げ管が配置されているコンデンサにも適用可能である。
【００４０】
図８および図９はこの発明によるコンデンサの第３の実施形態を示す。図８はこの発明によるコンデンサの第３の実施形態の全体構成を具体的に示し、図９は図８のコンデンサを模式的に示す。図９においては、個々の熱交換管の図示は省略されるとともに、コルゲートフィンおよびサイドプレートの図示も省略されている。
【００４１】
図８および図９において、コンデンサ(40)は、凝縮部(2)と、凝縮部(2)の下方に設けられた過冷却部(3)と、長手方向を上下方向に向けた状態で凝縮部(2)と過冷却部(3)との間に設けられ、かつ気液分離機能を有する受液部(41)とを備えている。
【００４２】
コンデンサ(40)の凝縮部(2)および過冷却部(3)には、それぞれ上下に連続して並んだ複数の熱交換管(5)からなる少なくとも１つ、ここでは１つの熱交換パス(P1)(P2)が設けられており、凝縮部(2)に設けられた熱交換パス(P1)が冷媒凝縮パスとなり、過冷却部(3)に設けられた熱交換パス(P2)が冷媒過冷却パスとなっている。そして、各熱交換パス(P1)(P2)を構成する全ての熱交換管(5)の冷媒流れ方向が同一となっているとともに、隣り合う２つの熱交換パスの熱交換管(5)の冷媒流れ方向が異なっている。ここで、凝縮部(2)の熱交換パス(P1)を第１熱交換パス(P1)といい、過冷却部(3)の熱交換パス(P2)を第２熱交換パス(P2)というものとする。なお、この実施形態においては、凝縮部(2)に１つの第１熱交換パス(P1)が設けられているので、第１熱交換パス(P1)が、凝縮部(2)の冷媒流れ方向最上流側の熱交換パスであると同時に、冷媒流れ方向最下流側の熱交換パスとなっている。
【００４３】
コンデンサ(40)の右端部側には、第１および第２熱交換パス(P1)(P2)を構成する全ての熱交換管(5)の右端部が接続される第１ヘッダタンク(42)が配置されている。第１ヘッダタンク(42)内は、第１熱交換パス(P1)と第２熱交換パス(P2)との間の高さ位置に設けられたアルミニウム製仕切部材(11)により上下２つの区画に分割されている。第１ヘッダタンク(42)の仕切部材(11)よりも上方の区画に、凝縮部(2)の第１熱交換パス(P1)の冷媒流れ方向上流側端部が通じる凝縮部入口ヘッダ(12)が設けられ、同じく下方の区画に、過冷却部(3)の第２熱交換パス(P2)の冷媒流れ方向下流側端部が通じる過冷却部出口ヘッダ(15)が設けられている。
【００４４】
コンデンサ(40)の左端側には、凝縮部(2)に設けられた第１熱交換パス(P1)の全熱交換管(5)の左端部がろう付により接続された第２ヘッダタンク(43)と、過冷却部(3)に設けられた第２熱交換パス(P2)の全熱交換管(5)の左端部がろう付により接続された第３ヘッダタンク(44)とが、第３ヘッダタンク(44)が左右方向外側に位置するように別個に設けられている。第３ヘッダタンク(44)の上端は第２ヘッダタンク(43)の下端よりも上方、ここでは第２ヘッダタンク(43)の上端とほぼ同一高さ位置にある。また、第３ヘッダタンク(44)の下端は第２ヘッダタンク(43)の下端よりも下方に位置しており、第３ヘッダタンク(44)における第２ヘッダタンク(43)よりも下方に位置する部分に、第２熱交換パス(P2)を構成する熱交換管(5)がろう付により接続されている。第３ヘッダタンク(44)は、凝縮部(2)で凝縮した液相主体冷媒を貯留するとともに液相主体冷媒を過冷却部(3)に供給する液溜部の機能を有する受液部(41)を兼ねている。
【００４５】
第２ヘッダタンク(43)の全体に、凝縮部(2)の第１熱交換パス(P1)の冷媒流れ方向下流側端部が通じる凝縮部出口ヘッダ(13)が設けられている。第３ヘッダタンク(44)における第２ヘッダタンク(43)の下端よりも下方に位置する部分に、過冷却部(3)の第２熱交換パス(P2)の冷媒流れ方向上流側端部が通じる過冷却部入口ヘッダ(14)が設けられている。そして、第２ヘッダタンク(43)の凝縮部出口ヘッダ(13)内の下端部と、第３ヘッダタンク(44)内における過冷却部入口ヘッダ(14)よりも上方の部分とが連通部材(45)により通じさせられている。なお、第３ヘッダタンク(44)内における過冷却部入口ヘッダ(14)よりも上方の部分と、過冷却部入口ヘッダ(14)とは、第３ヘッダタンク(44)内で通じている。
【００４６】
凝縮部入口ヘッダ(12)の周壁(12a)外周面における長手方向中央部(X)よりも一端側に偏った部分、ここでは下端側に偏った部分に、第１の実施形態のコンデンサ(1)に用いられているアルミニウム製入口部材(16)がろう付され、凝縮部入口ヘッダ(12)の周壁(12a)における長手方向中央部(X)よりも下端側に偏った部分に、入口部材(16)の冷媒流入路(17)から送り出された冷媒を凝縮部入口ヘッダ(12)内の長手方向中央部(X)側（上側）に向かって流入させる第１の実施形態のコンデンサ(1)に用いられている流入部(18)が設けられている。
【００４７】
その他の構成は第１の実施形態のコンデンサと同様である。
【００４８】
コンデンサ(40)は、圧縮機、膨張弁（減圧器）およびエバポレータとともに冷凍サイクルを構成し、カーエアコンとして車両に搭載される。
【００４９】
上述した構成のコンデンサ(40)において、圧縮機により圧縮された高温高圧の気相冷媒が、入口部材(16)の冷媒流入路(17)から流入部(18)に向かって送り出される。流入部(18)に向かって送り出された冷媒は、ガイド部(24)の傾斜部(24a)および鉛直部(24b)に案内されるとともに流入口(25)を通って凝縮部入口ヘッダ(12)の長手方向中央部(X)側に流れる。したがって、多くの冷媒が凝縮部入口ヘッダ(12)内の上端部まで流れ、残りの冷媒がガイド部(24)および熱交換管(5)と凝縮部入口ヘッダ(12)の周壁(12a)との間の前記間隙を通って流入部(18)よりも下方に流れる。その結果、流入部(18)を通って凝縮部入口ヘッダ(12)内に流入した冷媒は凝縮部入口ヘッダ(12)内の全体に行き渡り、凝縮部入口ヘッダ(12)に接続された第１熱交換パス(P1)の全熱交換管(5)に均等に分流される。第１熱交換パス(P1)の熱交換管(5)内に流入した冷媒は、第１熱交換パス(P1)の熱交換管(5)内を左方に流れて凝縮部出口ヘッダ(13)内に流入する。第２ヘッダタンク(43)の凝縮部出口ヘッダ(13)内に流入した冷媒は、連通部材(45)を通って第３ヘッダタンク(44)内における過冷却部入口ヘッダ(14)よりも上方の部分に流入する。
【００５０】
第３ヘッダタンク(44)内における過冷却部入口ヘッダ(14)よりも上方の部分に流入した冷媒は、気液混相冷媒であり、当該気液混相冷媒のうち液相主体冷媒は重力により第３ヘッダタンク(44)の過冷却部入口ヘッダ(14)内に溜まり、第２熱交換パス(P2)の熱交換管(5)内に入る。第２熱交換パス(P2)の熱交換管(5)内に入った冷媒は熱交換管(5)内を右方に流れる間に過冷却された後、第１ヘッダタンク(42)の過冷却部出口ヘッダ(15)内に入り、流出部(21)および出口部材(19)の冷媒流出路(20)を通って流出し、膨張弁を経てエバポレータに送られる。
【産業上の利用可能性】
【００５１】
この発明によるコンデンサは、自動車に搭載されるカーエアコンに好適に用いられる。
【符号の説明】
【００５２】
(1)(30)(40)：コンデンサ
(2)：凝縮部
(3)：過冷却部
(4)：受液器(受液部)
(5)：熱交換管
(12)：凝縮部入口ヘッダ
(12a)：周壁
(13)：凝縮部出口ヘッダ
(14)：過冷却部入口ヘッダ
(15)：過冷却部出口ヘッダ
(16)(31)：入口部材
(17)：冷媒流入路
(18)(32)：流入部
(24)(33)：ガイド部
(25)：流入口
(26)：切り込み
(41)：受液部
(42)：第１ヘッダタンク
(43)：第２ヘッダタンク
(44)：第３ヘッダタンク
(45)：連通部材（連通部）
(P1)(P2)：熱交換パス
(X)：凝縮部入口ヘッダの長手方向中央部
【図１】
2020101335.tif 000003
【図２】
2020101335.tif 000004
【図３】
2020101335.tif 000005
【図４】
2020101335.tif 000006
【図５】
2020101335.tif 000007
【図６】
2020101335.tif 000008
【図７】
2020101335.tif 000009
【図８】
2020101335.tif 000010
【図９】
2020101335.tif 000011